(57)【要約】【課題】内容物を簡単に取り出すことができ、かつ、開口部が確実に閉止される包装箱を提供する。【解決手段】周壁１を形成する対向した側板２を外側へ湾曲させ、各側板２からそれぞれ延びる内端板７及び外端板８の基端と先端の輪郭を膨出弧状とし、内端板７に外端板８で覆われる振出口９を設け、内端板７及び外端板８を重なり合うように順次内側へ折り曲げて、周壁１の両側稜部の握離に伴い、側板２の湾曲が弾力的に変化して、振出口９が開閉されるようにする。また、内端板７の輪郭の曲率を外端板８の輪郭の曲率よりも小さく設定することにより、外端板８の先端縁が他方の側板２の内面に当接して、外端板８の浮き上がりが防止されるようにする。さらに、周壁１の底部を角筒状として、側板２に底角から上方へ途中までＹ字状の罫線４を入れ、側板２の復元力の低下を防止する。【選択図】図４
2006232336.tif 000002
【特許請求の範囲】
【請求項１】
周壁を形成する対向した側板を外側へ湾曲させ、各側板からそれぞれ延びる内端板及び外端板の基端と先端の輪郭を膨出弧状とし、内端板及び外端板を重なり合うように順次内側へ折り曲げて、端面を閉止した包装箱において、内端板に外端板で覆われる振出口を設け、周壁の両側稜部の握離に伴い、側板の湾曲を弾力的に変化させて振出口を開閉するようにしたことを特徴とする包装箱。
【請求項２】
請求項１に記載の包装箱において、内端板の輪郭の曲率を外端板の輪郭の曲率よりも小さく設定することにより、外端板の先端縁が他方の側板の内面に当接して、外端板の浮き上がりが防止されるようにしたことを特徴とする包装箱。
【請求項３】
請求項１又は２に記載の包装箱において、振出口の反対側に位置する周壁の底部が角筒状となるようにして、側板に底角から振出口側の途中まで罫線を入れ、この罫線をＹ字状としたことを特徴とする包装箱。
【発明の詳細な説明】
【技術分野】
【０００１】
この発明は、菓子箱等として使用される包装箱であって、周壁の側板が膨らむように湾曲したものに関する。
【背景技術】
【０００２】
従来より、ギフト商品等の包装箱として、ピローケースと呼ばれるものが使用されている。この包装箱は、周壁を形成する対向した側板を外側へ湾曲させ、各側板からそれぞれ延びる内端板及び外端板の基端と先端の輪郭をそれぞれ同一曲率の膨出弧状とし、内端板及び外端板を重なり合うように順次内側へ折り曲げて端面を閉止し、内容物を取り出す際には、外端板及び内端板を順次起こして、端面を開放するものである。
【発明の開示】
【発明が解決しようとする課題】
【０００３】
しかしながら、上記のような包装箱では、箱の開閉に手間がかかるほか、開封後、端面を再度閉じようとしても、外端板が浮き上がって開口部が完全に閉止されなくなるという問題があった。
【０００４】
そこで、この発明は、内容物を簡単に取り出すことができ、かつ、開口部が確実に閉止される包装箱を提供することを課題とする。
【課題を解決するための手段】
【０００５】
上記のような課題を解決するため、この発明は、周壁を形成する対向した側板を外側へ湾曲させ、各側板からそれぞれ延びる内端板及び外端板の基端と先端の輪郭を膨出弧状とし、内端板及び外端板を重なり合うように順次内側へ折り曲げて、端面を閉止した包装箱において、内端板に外端板で覆われる振出口を設け、周壁の両側稜部の握離に伴い、側板の湾曲を弾力的に変化させて振出口を開閉するようにしたのである。
【０００６】
また、内端板の輪郭の曲率を外端板の輪郭の曲率よりも小さく設定することにより、外端板の先端縁が他方の側板の内面に当接して、外端板の浮き上がりが防止されるようにしたのである。
【０００７】
さらに、振出口の反対側に位置する周壁の底部が角筒状となるようにして、側板に底角から振出口側の途中まで罫線を入れ、この罫線をＹ字状とし、振出口を開く際、側板に作用する折曲力が罫線に沿って分散するようにしたのである。
【発明の効果】
【０００８】
この発明に係る包装箱では、周壁の両側稜部を握り、又はその握りを離すだけで、側板の湾曲が弾力的に変化して、内端板に設けた振出口が外端板により開閉されるので、振出口を介して、内容物を極めて簡単に取り出すことができる。
【０００９】
また、内端板と外端板の輪郭の曲率に差を設けることにより、外端板の先端縁が他方の側板の内面に当接して、外端板の浮き上がりが防止されるようにしたので、振出口を確実に閉止でき、箱内への埃の侵入を防止することができる。
【００１０】
さらに、周壁の底部を角筒状として、側板に底角から振出口側の途中まで罫線を入れ、この罫線をＹ字状としたので、開閉を繰り返しても、側板が罫線のない部分まで折れ曲がることがなく、側板の復元力が低下しにくくなり、開閉性能が維持される。
【発明を実施するための最良の形態】
【００１１】
以下、この発明の実施形態を添付図面に基づいて説明する。
【００１２】
この包装箱は、板紙を材料として、図１に示すようなブランクから形成される。このブランクでは、図１に示すように、周壁１となる部分が２枚の側板２を連設して形成され、一方の側板２の外側には継代片３が連設されている。各側板２には、下端中央部から上方へ向けて途中までＹ字状の罫線４が入れられ、各側板２の下端には、罫線４の両側にそれぞれ底板５，６が連設されている。
【００１３】
各側板２の上端にはそれぞれ内端板７及び外端板８が連設され、これらの基端と先端の輪郭は膨出弧状とされている。これらの輪郭のうち、内端板７の先端縁と、外端板８の先端縁及び基端罫線とは同一の曲率とされ、内端板７の基端罫線は、これらよりも小さな曲率となっている。このため、内端板７の長軸と基端罫線の中間部との距離は、内端板７及び外端板８の長軸と他の輪郭の中間部との距離よりも短くなっている。
【００１４】
内端板７には、側板２との境界に沿って振出口９が設けられ、振出口９に臨む側板２の端縁には盛上部１０が設けられている。振出口９の内側には側板２から延びる吊下片１１が設けられ、外端板８の先端縁中間部にも吊下片１１が連設されている。吊下片１１の基端にはミシン目状の切目線１２が設けられている。
【００１５】
上記のようなブランクを組み立てて粒状チョコレート菓子等の商品を包装するには、図２に示すように、２枚の側板２を対向するように折り曲げ、継代片３を他方の側板２の外側部内面に貼り付けて周壁１を形成し、各側板２を罫線４沿いに屈曲させて、周壁１の下部を角筒状とし、底板５，６を貼り合わせて周壁１の底面を閉止する。
【００１６】
次に、側板２の上部を膨らむように湾曲させ、周壁１の天面が開いた状態で、内容物を箱内に収納した後、内端板７及び外端板８を重ね合わせるように順次内側へ折り曲げて、振出口９を外端板８で覆い、吊下片１１同士を貼り合わせて封緘する。
【００１７】
このように封緘した包装箱を開封する際には、切目線１２に沿って吊下片１１を切り離し、図３に示すように、内端板７と外端板８とが重なり合った状態で、周壁１の両側稜部を握って内側へ押す。
【００１８】
これに伴い、図４に示すように、側板２の湾曲が拡大し、外端板８が窪みつつ、振出口９が開口するので、包装箱を傾けて、振出口９から内容物Ｂを振り出すことができる。
【００１９】
その後、周壁１の握りを離すと、側板２の湾曲が復元して、図３に示すように、振出口９が再び閉じられ、外端板８の先端縁が他方の側板２の上部内面に当接して、外端板８の浮き上がりが防止され、振出口９の閉止状態が維持される。このとき、他方の側板２には盛上部１０が形成されているので、外端板８が側板２の上部に確実に嵌合する。
【００２０】
また、この包装箱では、側板２に入れた罫線４をＹ字状としているので、周壁１の両側稜部を握って振出口９を開く際、側板２に作用する折曲力が罫線４に沿って分散し、開閉を繰り返しても、側板２が罫線４のない部分まで折れ曲がることがなく、側板２の復元力が低下しにくくなり、開閉性能が維持される。
【００２１】
なお、この実施形態では、周壁１を形成するため、同一の大きさの２枚の側板２を周壁１の一側で継ぎ合わせるようにしたが、一方の側板２の両側に分割した側板２を連設し、これらの側板２を周壁１の中間部で継ぎ合わせるようにしてもよい。
【図面の簡単な説明】
【００２２】
【図１】この発明の実施形態に係る包装箱のブランクを示す図
【図２】同上の包装箱の封緘状態を示す斜視図
【図３】同上の開封後の閉止状態を示す斜視図
【図４】同上の商品の振出状態を示す斜視図
【符号の説明】
【００２３】
１  周壁
２  側板
３  継代片
４  罫線
５，６  底板
７  内端板
８  外端板
９  振出口
１０  盛上部
１１  吊下片
１２  切目線
【図１】
2006232336.tif 000003
【図２】
2006232336.tif 000004
【図３】
2006232336.tif 000005
【図４】
2006232336.tif 000006